(57)【特許請求の範囲】
【請求項１】
内部導体、及び前記内部導体の外周に絶縁層を介して設けられた外部導体を有する同軸ケーブルが接続される基板と、
前記基板上に設けられ、特定の周波数帯域の信号成分を通過させるフィルタ回路と、
前記同軸ケーブルを支持する導電性の支持部材と、
を備え、
前記基板は、その端面から前記端面に交差する方向に延びる切欠き部が形成され、前記切欠き部を挟む両側に形成された一対の導体パターン、及び前記内部導体と前記フィルタ回路とを接続するように形成された配線パターンを一方の平面上に有すると共に、接地電位に接続された接地パターンが他方の平面に形成され、
前記支持部材は、前記外部導体の少なくとも一部を収容して前記外部導体に半田付けされる凹部と、前記凹部を挟んで対向する位置に形成され、前記一対の導体パターンにそれぞれ接触して固定される一対の固定部と、前記一対の固定部及び前記凹部と一体に形成され前記凹部から前記基板の前記端面に交差する方向に延び、前記接地パターンに接続される接地部と、を有し、
前記一対の導体パターンと前記一対の固定部とを接触させると、前記支持部材の前記凹部が前記基板の一方の平面側から他方の平面側に向かって窪み、かつ前記切欠き部に嵌合するように配置されるフィルタ装置。
【請求項２】
前記切欠き部は、一端が前記基板の前記端面に開口するように形成された幅広部と、前記幅広部よりも幅が狭く前記幅広部よりも前記基板の前記端面から遠い位置に形成された幅狭部と、を有し、
前記凹部は、前記幅狭部に嵌合するように配置される、
請求項１に記載のフィルタ装置。
【請求項３】
前記支持部材は、単板の金属板を曲げ加工して形成された一体の導電体からなる、
請求項１又は２に記載のフィルタ装置。
【請求項４】
前記支持部材の前記凹部に前記同軸ケーブルの前記外部導体の少なくとも一部を収容すると、前記同軸ケーブルの前記内部導体を屈曲させることなく、前記内部導体と前記配線パターンとを接触させて接続することが可能である、
請求項１乃至３の何れか１項に記載のフィルタ装置。
【請求項５】
前記フィルタ回路は、第１の周波数帯域の信号成分を通過させる第１のフィルタ部と、前記第１の周波数帯域とは異なる第２の周波数帯域の信号成分を通過させる第２のフィルタ部とを有し、
前記切欠き部は、前記第１のフィルタ部、前記第２のフィルタ部、及び前記第１及び第２の周波数帯域の信号成分を含む信号を受信するアンテナ素子のそれぞれに対応して、前記基板の３か所に形成されている、
請求項１乃至４の何れか１項に記載のフィルタ装置。
【発明の詳細な説明】
【技術分野】
【０００１】
本発明は、伝送される信号の特定の周波数帯域の信号成分を通過させるフィルタ装置に関する。特に本発明は、同軸ケーブルが接続され、この同軸ケーブルを介して伝送される信号の特定の周波数帯域の信号成分を通過させるフィルタ装置に関する。
【背景技術】
【０００２】
従来、入力信号の周波数帯域のうち、特定の周波数帯域の信号成分を通過させ、この特定の周波数帯域外の信号成分を遮断するフィルタ装置が知られている。このようなフィルタ装置には、同軸コネクタが設けられ、この同軸コネクタに接続された同軸ケーブルを介して信号の入力又は出力を行うものがある（例えば、特許文献１，２参照）。
【０００３】
特許文献１には、２つの帯域遮断フィルタを有し、この２つの帯域遮断フィルタを通過した信号を送信するアンテナ、及び２つの帯域遮断フィルタのそれぞれに対応して、３つの同軸コネクタが設けられたアンテナ共用分波器が記載されている。
【０００４】
特許文献２には、送信側誘電体フィルタと、受信側誘電体フィルタとを備え、アンテナ側に接続される同軸コネクタ、及び送信側誘電体フィルタならびに受信側誘電体フィルタにそれぞれ接続される一対の同軸コネクタを備えたデュプレクサが記載されている。
【０００５】
なお、同軸コネクタを基板に直接接続する接続構造としては、特許文献３〜６に記載のものが知られている。
【先行技術文献】
【特許文献】
【０００６】
【特許文献１】特開平１１−２８４４１０号公報
【特許文献２】特開２００７−２９５３６１号公報
【特許文献３】実開平３−９５５６６号公報
【特許文献４】実開昭６１−１４９４０４号公報
【特許文献５】特開２００３−１６８４９９号公報
【特許文献６】特開２００９−１０５００８号公報
【発明の概要】
【発明が解決しようとする課題】
【０００７】
例えば、携帯電話基地局用アンテナのように、ギガヘルツ帯の周波数信号のフィルタリングを行うフィルタ装置では、同軸コネクタの接触部における導通が不十分であると、この接触部から高調波ノイズが発生し、通信に影響を及ぼすことがある。また、同軸コネクタは、フィルタ装置側及び同軸ケーブル側の双方に必要となるので、コスト上昇の要因ともなる。
【０００８】
また、同軸コネクタを用いることなく、フィルタ装置の基板に直接同軸ケーブルを接続することも考えられるが、例えば携帯電話基地局アンテナに用いられるフィルタ回路のように、同軸ケーブルの敷設後に現地にて接続作業を行わなければならない作業環境では、専用の治具等に同軸ケーブルを固定した状態で作業を行うことが困難であるので、同軸ケーブルの接続作業の容易性が求められる。また、同軸ケーブルの外部導体を確実に基板側に接触させるには、半田付けを行うことが望ましいが、同軸ケーブルが支持されていない状態での半田付けにはさらなる困難が伴う。
【０００９】
そこで、本発明は、同軸コネクタを用いることなく、同軸ケーブルの確実な接続を容易に行うことができるフィルタ装置を提供することを目的とする。
【課題を解決するための手段】
【００１０】
本発明は、上記課題を解決することを目的として、内部導体、及び前記内部導体の外周に絶縁層を介して設けられた外部導体を有する同軸ケーブルが接続される基板と、前記基板上に設けられ、特定の周波数帯域の信号成分を通過させるフィルタ回路と、前記同軸ケーブルを支持する導電性の支持部材と、を備え、前記基板は、その端面から前記端面に交差する方向に延びる切欠き部が形成され、前記切欠き部を挟む両側に形成された一対の導体パターン、及び前記内部導体と前記フィルタ回路とを接続するように形成された配線パターンを一方の平面上に有すると共に、接地電位に接続された接地パターンが他方の平面に形成され、前記支持部材は、前記外部導体の少なくとも一部を収容して前記外部導体に半田付けされる凹部と、前記凹部を挟んで対向する位置に形成され、前記一対の導体パターンにそれぞれ接触して固定される一対の固定部と、前記一対の固定部及び前記凹部と一体に形成され前記凹部から前記基板の前記端面に交差する方向に延び、前記接地パターンに接続される接地部と、を有し、前記一対の導体パターンと前記一対の固定部とを接触させると、前記支持部材の前記凹部が前記基板の一方の平面側から他方の平面側に向かって窪み、かつ前記切欠き部に嵌合するように配置されるフィルタ装置を提供する。
【００１１】
また、前記切欠き部は、一端が前記基板の前記端面に開口するように形成された幅広部と、前記幅広部よりも幅が狭く前記幅広部よりも前記基板の前記端面から遠い位置に形成された幅狭部と、を有し、前記凹部は、前記幅狭部に嵌合するように配置されるとよい。
【００１２】
また、前記支持部材は、単板の金属板を曲げ加工して形成された一体の導電体からなるとよい。
【００１３】
また、前記支持部材の前記凹部に前記同軸ケーブルの前記外部導体の少なくとも一部を収容すると、前記同軸ケーブルの前記内部導体を屈曲させることなく、前記内部導体と前記配線パターンとを接触させて接続することが可能であるとよい。
【００１４】
また、前記フィルタ回路は、第１の周波数帯域の信号成分を通過させる第１のフィルタ部と、前記第１の周波数帯域とは異なる第２の周波数帯域の信号成分を通過させる第２のフィルタ部とを有し、前記切欠き部は、前記第１のフィルタ部、前記第２のフィルタ部、及び前記第１及び第２の周波数帯域の信号成分を含む信号を受信するアンテナ素子のそれぞれに対応して、前記基板の３か所に形成されているとよい。
【発明の効果】
【００１５】
本発明によれば、フィルタ装置に同軸ケーブルを容易に接続することができ、かつ同軸ケーブルの外部導体の確実な接触が得られる。
【図面の簡単な説明】
【００１６】
【図１】本実施の形態に係るフィルタ装置の外観を示し、（ａ）は正面図、（ｂ）は側面図、（ｃ）は背面図である。
【図２】フィルタ装置の機能構成例を示すブロック図である。
【図３】フィルタ回路の通過特性を示す特性図である。
【図４】基板の第１接続部を示し、（ａ）は表面側から見た斜視図、（ｂ）は裏面側から見た斜視図である。
【図５】ケーブルガイドを取り除いた状態の第１接続部を示し、（ａ）は表面側から見た斜視図、（ｂ）は裏面側から見た斜視図である。
【図６】ケーブルガイドの外観及び寸法を示し、（ａ）は平面図、（ｂ）は右側面図、（ｃ）は正面図、（ｄ）は斜視図である。
【図７】同軸ケーブルが接続された第１接続部を示し、（ａ）は表面側から見た斜視図、（ｂ）は裏面側から見た斜視図である。
【発明を実施するための形態】
【００１７】
［実施の形態］
図１は、本実施の形態に係るフィルタ装置の外観を示し、（ａ）は正面図、（ｂ）は側面図、（ｃ）は背面図である。
【００１８】
このフィルタ装置１は、基板２と、基板２上に設けられたフィルタ回路３と、基板２に接続される同軸ケーブルを支持する支持部材としてのケーブルガイド４１，４２，４３と、基板２の一方の平面である表面２ａ側に固定され、フィルタ回路３を覆うカバー部材５とを備えている。
【００１９】
基板２は、例えばフッ素樹脂等の絶縁耐量の大きい誘電体からなる絶縁基材の表面に、銅箔等の導電性の金属箔からなる複数のパターンが形成されている。また、基板２には、その端面２ｃ，２ｄ，２ｅから、それぞれの端面２ｃ，２ｄ，２ｅに交差する方向に延びる３つの切欠き部２１０，２２０，２３０が形成されている。
【００２０】
基板２の表面２ａのうち、カバー部材５に覆われていない部分には、図略のアース線によって電気的に接地された接地電位に接続された接地パターン２００が形成されている。また、基板２の他方の平面である裏面２ｂには、後述する同軸ケーブル９１〜９３を接続するための配線パターン２１１，２２１，２３１、及び導体パターン２１２，２１３，２２２，２２３，２３２，２３３が形成されている。
【００２１】
切欠き部２１０、配線パターン２１１、及び導体パターン２１２，２１３は、第１接続部２１を構成する。切欠き部２２０、配線パターン２２１、及び導体パターン２２２，２２３は、第２接続部２２を構成する。また、切欠き部２３０、配線パターン２３１、及び導体パターン２３２，２３３は、第３接続部２３を構成する。
【００２２】
フィルタ回路３は、基板２の表面２ａ側に設けられている。このフィルタ回路は、例えばマイクロストリップラインからなる。また、フィルタ回路３を誘電体共振器を用いて構成してもよい。
【００２３】
ケーブルガイド４１，４２，４３は、銅等の導電性金属からなり、基板２の３つの切欠き部２１，２２，２３のそれぞれに対応して設けられている。このケーブルガイド４１，４２，４３は、導体パターン２１２，２１３，２２２，２２３，２３２，２３３への半田付けによって基板２に固定されている。
【００２４】
カバー部材５は、一側面が開口した直方体形状の導電体からなり、基板２の表面２ａ側に、例えばねじ留めによって固定されている。このカバー部材５は、基板２の接地パターン２００に接触して電気的に接地され、フィルタ回路３からの不要輻射を抑制する。
【００２５】
図２は、フィルタ装置１の機能構成例を示すブロック図である。図３は、フィルタ回路３の通過特性を示す特性図である。
【００２６】
フィルタ装置１のフィルタ回路３は、１．４３〜１．５０ＧＨｚ（第１の周波数帯域）の信号成分を通過させる第１のフィルタ部としての帯域通過フィルタ３１と、１．９２〜２．１３ＧＨｚ（第２の周波数帯域）の信号成分を通過させる第２のフィルタ部としての帯域通過フィルタ３２とを有している。
【００２７】
帯域通過フィルタ３１には、第１接続部２１を介して同軸ケーブル９１が接続され、帯域通過フィルタ３２には、第２接続部２２を介して同軸ケーブル９２が接続される。また、帯域通過フィルタ３１及び帯域通過フィルタ３２には、第３接続部２３を介して同軸ケーブル９３が接続される。同軸ケーブル９３の一端は、アンテナ素子８に接続されている。このアンテナ素子８は、１．５ＧＨｚ帯及び２ＧＨｚ帯の共用アンテナである。
【００２８】
アンテナ素子８で受信された信号は、同軸ケーブル９３によってフィルタ装置１に入力され、基板２に形成された配線パターンによって帯域通過フィルタ３１及び帯域通過フィルタ３２に入力される。帯域通過フィルタ３１は、入力された信号のうち、第１の周波数帯域の信号成分を通過させ、同軸ケーブル９１に出力する。また、帯域通過フィルタ３２は、入力された信号のうち、第２の周波数帯域の信号成分を通過させ、同軸ケーブル９２側に出力する。第１の周波数帯域及び第２の周波数帯域以外の周波数帯の信号成分は、帯域通過フィルタ３１及び帯域通過フィルタ３２によって遮断される。すなわち、フィルタ装置１は、デュプレクサとして機能する。
【００２９】
同軸ケーブル９１〜９３は、次に説明する同軸ケーブル接続構造により、基板２の第１接続部２１，第２接続部２２，及び第３接続部２３に接続されている。
【００３０】
（同軸ケーブル接続構造）
第１接続部２１，第２接続部２２，及び第３接続部２３は、それぞれ同様に構成されているので、第１接続部２１を例にとって、図４〜図９を参照して説明する。
【００３１】
図４は、基板２の第１接続部２１を示し、（ａ）は裏面２ｂ側から見た斜視図、（ｂ）は表面２ａ側から見た斜視図である。図５は、ケーブルガイド４１を取り除いた状態の第１接続部２１を示し、（ａ）は裏面２側から見た斜視図、（ｂ）はｂ表面２ａ側から見た斜視図である。図６は、ケーブルガイド４１の外観及び寸法を示し、（ａ）は平面図、（ｂ）は右側面図、（ｃ）は正面図、（ｄ）は斜視図である。
【００３２】
図４（ａ）及び図５（ａ）に示すように、切欠き部２１０は、基板２の端面２ｃから基板２の中央部に向かって、端面２ｃに直交する方向に延びるように形成されている。つまり、切欠き部２１０は、その延伸方向の一端が端面２ｃに開口し、基板２を表面２ａから裏面２ｂに厚さ方向に貫通するスリット状に形成されている。また、切欠き部２１０は、端面２ｃ側（開口側）の幅広部２１０ａと、延伸方向の奥側の幅狭部２１０ｂとからなり、幅広部２１０ａは、切欠き部２１０の延伸方向に直交する方向の幅が、幅狭部２１０ｂよりも広く形成されている。
【００３３】
導体パターン２１２，２１３は、幅狭部２１０ｂをその幅方向に挟んで、幅狭部２１０ｂの両側に対をなすように形成されている。配線パターン２１１は、切欠き部２１０の延伸方向に沿って、幅狭部２１０ｂの奥側（幅広部２１０ａとは反対側）の端部付近から、基板２の中央部に向かって直線状に延びるように形成されている。
【００３４】
図４（ｂ）及び図５（ｂ）に示すように、基板２の表面２ａにおける切欠き部２１０の周辺には、接地パターン２００が形成されている。
【００３５】
図６に示すように、ケーブルガイド４１は、凹部４１ａと、凹部４１ａを挟んで対向する位置に形成された一対の固定部４１ｂ及び固定部４１ｃと、一対の固定部４１ｂ，４１ｃを結ぶ直線に対して直交する方向に延びるように、凹部４１ａに連続して形成された接地部４１ｄとを一体に有している。また、凹部４１ａは、一対の固定部４１ｂ，４１ｃを結ぶ直線に対して直交する方向に延びる断面Ｕ字状の溝として形成されている。
【００３６】
ケーブルガイド４１は、単板の銅等の導電性金属からなる金属板を曲げ加工して形成されている。この曲げ加工は、例えば雄金型と雌金型との間に金属板を挟んで押圧するプレス加工によって行うことができる。
【００３７】
図４（ａ）に示すように、ケーブルガイド４１の固定部４１ｂ，４１ｃは、導体パターン２１２，２１３に接触して固定されている。本実施の形態では、固定部４１ｂ，４１ｃが導体パターン２１２，２１３に半田付けされている。また、凹部４１ａは、基板２の裏面２ｂから表面２ａ側に向かって窪むように形成されている。つまり、導体パターン２１２，２１３とケーブルガイド４１の固定部４１ｂ，４１ｃとを接触させると、ケーブルガイド４１の凹部４１ａが基板２の裏面２ｂから表面２ａ側に向かって窪み、かつ凹部４１ａが切欠き部２１０に嵌合するように配置される。
【００３８】
また、図４（ｂ）に示すように、ケーブルガイド４１の接地部４１ｄは、接地パターン２００に接続されている。本実施の形態では、接地部４１ｄが接地パターン２００に半田付けされている。これにより、導体パターン２１２，２１３と接地パターン２００がケーブルガイド４１によって接続されている。
【００３９】
図７は、同軸ケーブル９１が接続された基板２の第１接続部２１を示し、（ａ）は裏面２ｂ側から見た斜視図、（ｂ）は表面２ａ側から見た斜視図である。
【００４０】
同軸ケーブル９１は、内部導体９１０と、内部導体９１０の外周に設けられた編組線からなる外部導体９１１と、内部導体９１０と外部導体９１１との間に形成された絶縁層９１２と、外部導体９１１を覆うように形成されたシース９１３とを有している。
【００４１】
同軸ケーブル９１は、シース９１３が取り除かれて露出した外部導体９１１がケーブルガイド４１の凹部４１ａに半田付けされ、さらに外部導体９１１及び絶縁層９１２が取り除かれて露出した内部導体９１０が配線パターン２１１に半田付けされて、基板２の第１接続部２１に接続されている。配線パターン２１１は、内部導体９１０とフィルタ回路３の帯域通過フィルタ３１とを接続するように形成されている。
【００４２】
また、同軸ケーブル９１は、外部導体９１１が凹部４１ａに半田付けされて固定されることにより、ケーブルガイド４１に支持されている。
【００４３】
凹部４１ａは、外部導体９１１の周方向の少なくとも一部を収容している。より詳細には、凹部４１ａは、外部導体９１１のうち、内部導体９１０よりも基板２の表面２ａ側の部分を収容している。
【００４４】
第１接続部２１への同軸ケーブル９１の接続は、例えば次の手順により行うことができる。なお、ケーブルガイド４１は予め基板２に接続されているものとする。
【００４５】
まず、同軸ケーブル９１の先端部におけるシース９１３を所定の長さに亘って取り除き、外部導体９１１を露出させる。次に、露出した外部導体９１１の先端側の一部を取り除き、さらに外部導体９１１を取り除いた部分に相当する絶縁層９１２取り除き、内部導体９１０を露出させる。
【００４６】
次に、露出した外部導体９１１をケーブルガイド４１の凹部４１ａに嵌め込み、外部導体９１１の一部を凹部４１ａに収容する。そして、内部導体９１０を配線パターン２１１に半田付けし、外部導体９１１を凹部４１ａに半田付けする。なお、内部導体９１０と外部導体９１１の半田付けの順序は逆でもよい。これにより、同軸ケーブル９１の先端部が基板２の第１接続部２１に接続される。
【００４７】
この際、外部導体９１１の一部が凹部４１ａに収容されると、内部導体９１０が配線パターン２１１に対応する位置に位置決めされるので、内部導体９１０を屈曲させることなく、内部導体９１０と配線パターン２１１とを接触させて接続することが可能である。
【００４８】
また、第２接続部２２及び第３接続部２３も、上記説明した第１接続部２１と同様に構成され、第２接続部２２には同軸ケーブル９２が、第３接続部２３には同軸ケーブル９３が、それぞれ同様の手順によって接続される。
【００４９】
（実施の形態の作用及び効果）
以上説明した実施の形態によれば、以下のような作用及び効果が得られる。
【００５０】
（１）同軸コネクタを用いることなく同軸ケーブル９１を基板２に接続することができるので、低コスト化が可能となる。また、同軸コネクタを用いる場合には、内部導体９１０及び外部導体９１１の同軸コネクタの接続導体への接触部、及び雄雌同軸コネクタの接続導体同士の接触部を介して内部導体９１０及び外部導体９１１が基板２に接続されることとなるが、本実施の形態によれば、内部導体９１０及び外部導体９１１が直接的に基板２に半田付けされるので、上記の各接触部で発生するおそれのある高調波ノイズを抑止することができる。
【００５１】
（２）同軸ケーブル９１は、ケーブルガイド４１に支持された状態で、すなわち同軸ケーブル９１がケーブルガイド４１の凹部４１ａに収容され、同軸ケーブル９１が切欠き部２１０の延伸方向に沿うように案内された状態で、内部導体９１０及び外部導体９１１の半田付けを行うことができる。これにより、同軸コネクタを用いることなく、同軸ケーブル９１の確実な接続を容易に行うことができるフィルタ装置１を提供することができる。
【００５２】
（３）内部導体９１０は配線パターン２１１に、外部導体９１１はケーブルガイド４１の凹部４１ａに、それぞれ半田付けにより接続されるので、例えば導体の圧接により接続する場合に比較して、確実な接触を得ることができる。また、同軸ケーブル９１がケーブルガイド４１に支持された状態で半田付けすることにより、半田付けの作業を安定して行うことができ、半田付け作業の確実性が増す。
【００５３】
（４）凹部４１ａは、基板２の裏面２ｂから表面２ａ側に向かって窪むように形成され、ケーブルガイド４１（支持部材）の凹部４１ａに同軸ケーブル９１の外部導体９１１の少なくとも一部を収容すると、同軸ケーブル９１の直線状の内部導体９１０を屈曲させることなく、対応する直線状の配線パターン２１１に接触させて接続することができる。すなわち、内部導体９１０の位置（基板２の厚さ方向の位置）が配線パターン２１１に対応した位置となる。これにより、内部導体９１０の配線パターン２１１への半田付け作業がさらに容易となると共に、同軸ケーブル９１の確実な接続を容易に行うことができるようになる。
【００５４】
（５）ケーブルガイド４１は、単板の金属板の曲げ加工によって形成することができるので、ケーブルガイド４１を低コストに製造することができる。
【００５５】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００５６】
また、本発明は上記実施の形態に限定されるものではなく、その要旨を逸脱しない範囲で種々の態様において実施することが可能である。
【００５７】
例えば、上記実施の形態では、フィルタ装置１が、フィルタ回路３に２つの帯域通過フィルタ（帯域通過フィルタ３１及び帯域通過フィルタ３２）を有するデュプレクサとして構成された場合について説明したが、これに限らず、フィルタ回路３が単一の帯域通過フィルタ又は帯域遮断フィルタを有していてもよい。また、３つ以上の帯域通過フィルタ又は帯域遮断フィルタを有していてもよい。
【００５８】
また、上記実施の形態では、フィルタ装置１の３つの接続部（第１〜第３接続部２１〜２３）の全てが上記同軸ケーブル接続構造によって同軸ケーブルと接続される場合について説明したが、これに限らず、一部の接続部には同軸コネクタを用いてもよい。例えば、第３接続部２３のみを上記同軸ケーブル接続構造によって同軸ケーブル９３と接続してもよい。第３接続部２３は、アンテナ素子８に近いので、上記同軸ケーブル接続構造によって確実な接触を得ることが特に有効である。
【００５９】
また、上記実施の形態では、凹部４１ａが外部導体９１１の周方向の一部を収容するようにケーブルガイド４１を形成した場合について説明したが、凹部４１ａが外部導体９１１の全周を収容するようにケーブルガイド４１を形成してもよい。
【００６０】
また、上記実施の形態では、ケーブルガイド４１の固定部４１ｂ，４１ｃを導体パターン２１２，２１３に半田付けする場合について説明したが、固定部４１ｂ，４１ｃを例えばねじ留めによって導体パターン２１２，２１３に接続してもよい。
【００６１】
また、上記実施の形態では、フィルタ装置１の３つの接続部（第１〜第３接続部２１〜２３）が、矩形状の基板２の４つの辺のうち、３つの相異なる辺に形成された場合について説明したが、各接続部を形成する位置はこれに限定されるものではなく、例えば第１〜第３接続部２１〜２３のうち、１つの接続部（例えば第３の接続部２３）と他の２つの接続部（例えば第１の接続部２１及び第２の接続部２２）とを、基板２の４つの辺のうち、互いに向かい合う２つの辺のそれぞれに形成してもよい。また、第１〜第３接続部２１〜２３を同一の辺に並べて形成してもよい。
【符号の説明】
【００６２】
１…フィルタ装置、２…基板、２ａ…表面、２ｂ…裏面、２ｃ…端面、２ｃ，２ｄ，２ｅ…端面、３…フィルタ回路、５…カバー部材、８…アンテナ素子、２１〜２３…第１〜第３接続部、３１，３２…帯域通過フィルタ、４１，４２，４３…ケーブルガイド（支持部材）、４１ａ…凹部、４１ｂ，４１ｃ…固定部、４１ｄ…接地部、９１〜９３…同軸ケーブル、２００…接地パターン、２１０，２２０，２３０…切欠き部、２１０ａ…幅広部、２１０ｂ…幅狭部、２１１，２２１，２３１…配線パターン、２１２，２１３，２２２，２２３，２３２，２３３…導体パターン、９１０…内部導体、９１１…外部導体、９１２…絶縁層、９１３…シース
【図１】
0005760855.tif 000002
【図２】
0005760855.tif 000003
【図３】
0005760855.tif 000004
【図４】
0005760855.tif 000005
【図５】
0005760855.tif 000006
【図６】
0005760855.tif 000007
【図７】
0005760855.tif 000008